(57)【特許請求の範囲】
【請求項１】
質量％で、Ｐ：０．０００１％以上０．５％以下、Ｏ（酸素）：０．００５％以下、Ｓ：０．００５％以下を含有する溶鉄にＮｄを添加して、溶鉄中のＮｄ濃度を０．００１％以上１％以下とするに際し、スラグ中のＣａＯとＡｌ2Ｏ3の質量濃度比である（ＣａＯ／Ａｌ2Ｏ3）の値を０．７以上９以下、およびスラグ中のＣａＯとＳｉＯ2の質量濃度比である（ＣａＯ／ＳｉＯ2）の値を０．６５以上とすることによって酸素活量を制御し、かつ、溶鉄中のＮｄ濃度である［Ｎｄ］（質量％）を、溶鉄中のＰ濃度である［Ｐ］（質量％）、溶鉄中のＯ濃度である［Ｏ］（質量％）および溶鉄中のＳ濃度である［Ｓ］（質量％）に応じて、下記（１）式により表される関係を満足するように制御することを特徴とする溶鉄の処理方法。
０．２＜｛［Ｎｄ］−０．８(［Ｓ］＋［Ｏ］)｝／(０．８［Ｐ］)＜２０・・・（１）
【発明の詳細な説明】
【技術分野】
【０００１】
本発明は、鋼中に溶解するＰ濃度または鋼中に固溶するＰ濃度を低減する溶鉄の精錬方法に関し、さらに詳しくは、溶鉄中にＮｄを添加してＰをＮｄＰ介在物とすることにより、溶解または固溶するＰ濃度を低減する精錬方法に関する。
【背景技術】
【０００２】
鋼中に固溶した燐（Ｐ）（以下、「固溶Ｐ」とも記す）は、結晶粒界あるいは鋳片中心部などにおいて濃化し、鋼材の高温延性、耐食性、溶接性などの特性を著しく悪化させるため、鋼中の固溶Ｐ濃度を低減することが重要とされている。固溶Ｐは、鋼中において単体の元素として存在するが、この固溶Ｐは、溶鉄中では溶解したＰ（以下、「溶解Ｐ」とも記す）として存在している。
【０００３】
一般に、鋼中の固溶Ｐ濃度を低減する方法として、製鋼段階において溶鉄から溶解Ｐを除去する脱燐処理が用いられている。脱燐処理は、脱燐に適したスラグあるいはフラックスを溶鉄に添加し、酸化雰囲気下で溶鉄中のＰを酸化物としてスラグまたはフラックスに移行吸収させる方法である。
【０００４】
従来、脱燐効率をより高めるとともに、より低い溶解Ｐ濃度まで脱燐することを目的として、多数の溶銑脱燐技術、溶鋼脱燐技術が開発されてきた。一方、近年、鋼材に対する要求性能が高まると同時に、高級鋼の需要が増加している。この要求性能と需要に対応するためには、より簡便な方法により鋼中の固溶Ｐ濃度を従来以上に低減する必要が生じてきた。
【０００５】
しかしながら、従来の脱燐処理には、（ａ）低減可能なＰ濃度の下限に経済的および熱力学的限界がある、（ｂ）徹底した脱燐処理を行うと排出スラグ量が増加する、（ｃ）還元精錬条件下では脱燐ができないなどの課題があり、上記要求に応えることが困難であった。
【０００６】
上述したとおり、従来の考え方に基づくフラックスあるいはスラグを用いて溶解Ｐ濃度を低減する脱燐処理によって近年の低燐化に対応するには、１）脱燐能力の限界からくる生産性の低下および精錬コストの上昇、２）精錬末期において脱燐処置ができないことに起因する過剰脱燐処理、３）排出スラグ量の増加による廃棄物量の増加など、が課題となっていた。
【０００７】
一方、脱燐に対する新しい考え方として、溶鉄中においてＰとＲＥＭとからなる化合物（介在物）を生成さて、溶解Ｐの一部を化合物として固定することにより、溶解Ｐ濃度を低減させるという技術も開発された。例えば、特許文献１には、非酸化性雰囲気下に保持された溶融金属に、レアアースメタル(以下「ＲＥＭ」とも記す)を０．１質量％以上添加するとともに溶融金属を攪拌し、生成したスラグを除去した後に酸化精錬する脱燐方法が開示されている。この方法は、ＲＥＭとＰとの化合物を溶融金属中で生成させ、攪拌してこれを浮上させた後、Ｐ化合物を含むスラグを除去し、さらにその後、溶融金属中のＲＥＭを酸化精錬により除去する方法である。
【０００８】
しかしながら、ＲＥＭを用いて溶解ＰをＲＥＭとの化合物とすることにより、溶解Ｐ濃度を低減させる従来の方法では、Ｐ化合物の生成および浮上処理やスラグの除去、ならびにその後の酸化精錬など複数の処理が必要であることから、処理コストの面で改善の余地があった。
【０００９】
上記の課題を解決すべく、本発明者らは、溶鉄にＮｄを添加した場合の溶鉄中におけるＮｄＰ介在物の生成反応について詳細に調査し、Ｐ濃度とＮｄ濃度とを適正に制御することにより、介在物の浮上処理、スラグ除去および酸化精錬を行う必要のない新しい溶解Ｐ濃度の低減方法を、先に特許文献２として提案した。この方法は、生産性が高く、また処理コストを低減できる点で優れた処理方法であるが、さらに、効率の高い溶解Ｐ濃度の低減方法が望まれる。
【００１０】
【特許文献１】特公平６−２１２８８号公報（特許請求の範囲および３頁左欄８〜１３行）
【特許文献２】特願２００６−００３２５７号公報（特許請求の範囲など）
【発明の開示】
【発明が解決しようとする課題】
【００１１】
本発明者らが前記の特許文献１に提案した溶鉄へのＮｄ添加による処理方法によれば、溶鉄の清浄度を悪化させることなくＮｄＰ介在物を効率よく生成させ、溶解Ｐ濃度を低減させることが可能である。また、溶鉄中のＮｄ濃度が過度に高くなることを回避するとともに、介在物やスラグの除去処理を不要としたため、生産性が高く、また処理コストを低減できる点で優れている。
【００１２】
一方、Ｎｄは、Ｐのほか、酸素や硫黄とも反応するため、特許文献２で提案した処理方法においては、Ｎｄの一部が酸素や硫黄との反応によって消費されてしまう。このため、ＮｄＰの生成による溶解Ｐ濃度の低減効果が、酸素や硫黄の存在によって影響を受ける場合があった。
【００１３】
本発明は、上記の問題に鑑みてなされたものであり、その課題は、ＮｄＰの生成による溶解Ｐ濃度の低減に及ぼす溶鉄中酸素および硫黄の阻害作用を排除し、さらに優れた溶解Ｐ濃度の低減効果を確保できる溶鉄の処理方法を提供することにある。
【課題を解決するための手段】
【００１４】
本発明は、溶解Ｐをスラグ中などへ移行させて溶解Ｐ濃度を低減する一般的な脱燐処理方法には属さず、溶鉄中においてＰとＮｄとを反応させてＮｄＰ化合物を生成させることにより、溶解Ｐ濃度を低減し、その結果として固溶Ｐ濃度を低減させる精錬方法である。すなわち、本発明の要旨は、下記に示される溶鉄の処理方法にある。
【００１５】
「質量％で、Ｐ：０．０００１％以上０．５％以下、Ｏ（酸素）：０．００５％以下、Ｓ：０．００５％以下を含有する溶鉄にＮｄを添加して、溶鉄中のＮｄ濃度を０．００１％以上１％以下とするに際し、スラグ中のＣａＯとＡｌ2Ｏ3の質量濃度比である（ＣａＯ／Ａｌ2Ｏ3）の値を０．７以上９以下、およびスラグ中のＣａＯとＳｉＯ2の質量濃度比である（ＣａＯ／ＳｉＯ2）の値を０．６５以上とすることによって酸素活量を制御し、かつ、溶鉄中のＮｄ濃度である［Ｎｄ］（質量％）を、溶鉄中のＰ濃度である［Ｐ］（質量％）、溶鉄中のＯ濃度である［Ｏ］（質量％）および溶鉄中のＳ濃度である［Ｓ］（質量％）に応じて、下記（１）式により表される関係を満足するように制御することを特徴とする溶鉄の処理方法。
【００１６】
０．２＜｛［Ｎｄ］−０．８(［Ｓ］＋［Ｏ］)｝／(０．８［Ｐ］)＜２０・・・（１）」
なお、以下の説明において、鋼の成分組成表示における「％」の記載は、「質量％」を意味する。
【００１７】
本発明者らは、前述の課題を解決するために、ＮｄＰ化合物の効率的生成条件および介在物制御効果の調査および解析を行い、下記の（ａ）および（ｂ）の知見を得て、上記の本発明を完成させた。
【００１８】
（ａ）燐化合物の効率的生成条件
１）溶鉄およびスラグ成分組成の適正範囲
１）−１  溶鉄の成分組成の適正範囲
Ｐ：０．０００１％以上０．５％以下
Ｐは、鋼材の高温延性、耐食性、溶接性などの特性を悪化させる不純物元素であり、その濃度は低いほど好ましい。しかし、現実には、材料特性などの面から固溶Ｐ濃度が０．０００１％未満においてさらに溶解Ｐ濃度の低減を必要とすることは殆どないことから、対象とするＰ濃度を０．０００１％以上とした。一方、Ｐ濃度が０．５％を超えて高い場合には、本発明の方法を用いなくても、通常の脱燐処理により０．５％まで容易に低下させることができる。そこで、Ｐ濃度の適正範囲を０．０００１％以上０．５％以下とした。
【００１９】
Ｏ（酸素）：０．００５％以下
酸素（以下、単に「Ｏ」とも記す）は、溶鉄中において、ＰとＮｄとの親和力よりもＮｄとの強い親和力を有すると考えられる元素である。Ｏ濃度が０．００５％を超えて高くなると、ＮｄＰの生成に優先して生成されるＮｄ酸化物の生成量が多くなり、ＮｄＰの生成が抑制される。そこで、Ｏ濃度の適正範囲を０．００５％以下とした。
【００２０】
Ｓ：０．００５％以下
硫黄（以下、単に「Ｓ」とも記す）は、溶鉄中において、ＰとＮｄとの親和力よりもＮｄとの強い親和力を有すると考えられる元素である。Ｓ濃度が０．００５％を超えて高くなると、ＮｄＰの生成に優先して生成されるＮｄ硫化物の生成量が多くなり、ＮｄＰの生成が抑制される。そこで、Ｓ濃度の適正範囲を０．００５％以下とした。
【００２１】
１）−２  スラグ中（ＣａＯ／Ａｌ2Ｏ3）および（ＣａＯ／ＳｉＯ2）の適正範囲
スラグ中のＣａＯとＡｌ2Ｏ3の質量濃度比である（ＣａＯ／Ａｌ2Ｏ3）の値を０．７以上９以下とし、ＣａＯとＳｉＯ2の質量濃度比である（ＣａＯ／ＳｉＯ2）の値を０．６５以上とすることにより、再現性良くＮｄＰ化合物（介在物）が生成することが判明したので、スラグ成分組成の適正範囲を上記のとおり規定した。下記にその理由の詳細を説明する。
【００２２】
前述したとおり、Ｎｄは反応性が高いために、Ｏなど様々な元素と反応する。ＰとＮｄとを反応させるには、Ｎｄが他の元素との反応により過剰に消費されないようにすることが重要である。このＮｄと他の元素との反応を抑制し制御する方法として、ＯやＳを大幅に低減する方法が考えられるが、精錬コストの上昇や生産性の低下の観点から適切ではない。
【００２３】
そこで、他元素との反応を制御する方法として、スラグを用いて酸素活量や硫黄活量を間接的に制御する方法を検討した。溶鉄にＮｄ添加量を変化させて添加し、ＮｄＰ介在物の生成状況を観察した。その結果、Ｎｄ添加量が同一条件であっても、ＮｄＰ介在物が生成する場合と生成しない場合とが存在した。さらに、Ｎｄ添加量が同一条件の場合について、ＮｄＰ介在物の生成および非生成とスラグ成分組成との関係を調査した結果、スラグ中のＣａＯとＡｌ2Ｏ3の質量濃度比である（ＣａＯ／Ａｌ2Ｏ3）の値が０．７以上９以下であり、かつＣａＯとＳｉＯ2の質量濃度比である（ＣａＯ／ＳｉＯ2）の値が０．６５以上の場合に、再現性良くＮｄＰ化合物（介在物）が形成されることが判明した。
【００２４】
これは、（ＣａＯ／Ａｌ2Ｏ3）の値あるいは（ＣａＯ／ＳｉＯ2）の値が小さいと、平衡酸素活量が増加し、Ｎｄの酸化ロス量が増加するとともに、酸化ロス量の変動が大きくなることによると考えられる。また、（ＣａＯ／Ａｌ2Ｏ3）の値が大きすぎると、スラグの固相率（全スラグに占める固相スラグの存在分率）が増加しすぎ、ＮｄとＰとの反応の安定性が低下するためと考えられる。Ｎｄとスラグとの反応性については、従来、知見されておらず、上記スラグ条件を満足させることがＮｄとＰとの反応を円滑に進行させるための重要な要件であることが見出された。すなわち、単純にＮｄ添加を行って鋼中Ｎｄ濃度を増加させるのみでは、安定的にＮｄＰ介在物を生成させることは困難なのである。
【００２５】
２）ＮｄＰ生成効率支配因子の導出
本発明者らは、先に特許文献２において、溶鉄中のＰとＮｄとの反応によるＮｄＰ介在物の生成反応を起こさせるためには、溶鉄中のＮｄ濃度：［Ｎｄ］と溶鉄中のＰ濃度：［Ｐ］との間に、下記（２）式により表される関係を満足させる必要があり、さらに、介在物の粗大化を抑止するためには、下記（３）式により表される関係を満足させる必要のあることを開示した。
【００２６】
４．８×１０-5／［Ｐ］≦［Ｎｄ］  ・・・（２）
４．８×１０-5／［Ｐ］≦［Ｎｄ］≦９．６×１０-3／［Ｐ］  ・・・・（３）
一方、ＮｄＰ介在物の生成反応に及ぼす酸素および硫黄の影響については全く知られていない。そこで、下記のとおりの推定を行い、その影響を評価することとした。
【００２７】
Ｎｄとの親和力は、Ｏが最も強く、次いでＳおよびＰの順に弱くなると考えられるので、溶鉄中に添加されたＮｄは、優先的にＯと反応し、次いでＳと反応して、その後にＰと反応すると推定される。この推定によれば、Ｏ濃度およびＳ濃度が低いほど、Ｎｄは効率的にＰと反応することが可能となり、したがって、効率的に溶解Ｐ濃度が低下することになる。しかし、溶鉄中のＯ濃度およびＳ濃度を常に低位に抑制維持することは、精錬コストの面で極めて不利であり、Ｏ濃度およびＳ濃度が高くても効率よくＮｄＰを生成させることのできる条件を把握することが重要となる。
【００２８】
ここで、課題となるのは、上記の反応の優先性ならびにＮｄとＰとの反応に及ぼすＯおよびＳの影響についての定量的把握である。
【００２９】
Ｎｄの酸化物はＮｄ2Ｏ3であって、その分子量は３３６であり、また、Ｎｄの硫化物はＮｄＳであって、その分子量は１７５であり、そして、Ｎｄの燐化物はＮｄＰであって、その分子量は１７６である。酸化物中においてＮｄの占める質量比率は（２８８／３３６）すなわち０．８５であり、また、硫化物中においてＮｄの占める質量比率は０．８２であり、そして、燐化物中においてＮｄの占める質量比率は０．８２である。このことから、各Ｎｄ化合物中においてＮｄの占める質量比率は約０．８であることがわかる。
【００３０】
次に、ＮｄがＰと反応するよりも優先的にＯおよびＳと反応すると考えると、ＯおよびＳと反応した後のＮｄ濃度は、Ｎｄ濃度からＯおよびＳと反応したＮｄ濃度を減じた値となる。換言すれば、ＮｄＰを生成させるのに必要なＮｄ濃度は、Ｐと反応させるのに要するＮｄ濃度にＳおよびＯと反応するＮｄ濃度を加味しておく必要がある。上記のＯおよびＳと反応した後のＮｄ濃度とＮｄの燐化物を生成するために必要なＮｄ濃度との比によりＮｄＰの生成効率が支配されると考えた。この比をＡとすれば、Ａは下記（４）式により表される。
【００３１】
Ａ＝｛［Ｎｄ］−０．８(［Ｓ］＋［Ｏ］)｝／(０．８［Ｐ］)  ・・・（４）
この比、すなわちＮｄＰ生成効率支配因子Ａの値（以下、「Ａ値」とも記す）には最適値あるいは適正範囲が存在すると考えられる。Ａ値を物質収支に基づいて算出することも考えられるが、現実には物質収支から最適範囲を推定するのは難しい。その理由は、生成する介在物はＮｄ−Ｐ−Ｏ−Ｓ系の複合介在物であり、介在物内の酸化物、燐化物および硫化物の活量が１ではないことから、各成分の活量が既知であることを前提とする物質収支に基づく計算は困難だからである。そこで、後述するとおり、実験によりＡ値の適正範囲を求めることとした。
【００３２】
３）ＮｄＰ生成効率支配因子の適正範囲
Ｃ：０．００１５〜３．５％、Ｓｉ：０．０１〜２．５％、Ｍｎ：０．２〜３％を含み、前記１）にて述べたＰ、ＯおよびＳの各成分組成の範囲内で成分濃度を変化させた溶鉄を用いて、ＮｄＰ生成効率支配因子Ａの適正範囲を調査した。なお、スラグについても、前記１）にて示した範囲内の成分組成のものを使用した。
【００３３】
溶鉄温度を１５５０〜１６５０℃とし、Ｐ、ＳおよびＯ濃度に所定濃度に調整した後に、目標量のＮｄを添加し、一定時間保持した後に溶鉄からサンプルを採取し、急冷凝固させた。その後、サンプル中の非金属介在物（以下、「介在物」とも記す）をＳＥＭにより観察するとともに、ＥＰＭＡにより介在物組成を定量した。
【００３４】
得られた調査結果は下記の方法により整理した。サンプル中に観察された全介在物個数に占めるＮｄＰ含有介在物の個数の比率を百分率により求め、ＮｄＰ存在率とした。ＮｄＰ存在率は、その値が０であれば、ＮｄＰ含有介在物が全く存在しないことを、また、その値が１００であれば、全ての介在物中にＮｄＰ介在物が含有されることを示す。さらに、ＮｄＰ生成効率支配因子、すなわちＡ値が０．２の場合における全介在物個数を１とし、その他の条件における全介在物個数を、上記Ａ値が０．２の場合における全介在物個数により除して、介在物個数指数として規格化し、整理した。なお、介在物個数指数は全介在物の個数を対象としたものであり、ＮｄＰを含有しない介在物も対象として含むものである。
【００３５】
図１は、上述のようにして得られたＮｄＰ存在率および介在物個数指数とＡ値との関係を示す図である。
【００３６】
同図の結果によれば、全ての介在物中にＮｄＰが含有されており、ＮｄＰ存在率は、１８％以上の値となっている。また、ＮｄＰ存在率には、その値が高い領域と低い領域とが存在する。Ａ値が０．２以下では、ＮｄＰ存在率は３１．５〜５５．５％であるが、Ａ値が０．２を超えて高くなると、ＮｄＰ存在率は上昇して６８〜７８．５％の範囲に達する。これは、溶鉄中のＯ濃度およびＳ濃度に比較してＮｄ濃度が増加したため、Ｐと反応するＮｄ量が増加し、ＮｄＰ量が増加したことによると考えられる。またＮｄＰ存在率の高い状態は、Ａ値が２０程度まで維持され、同時に介在物個数指数も１前後であって、変化は認められない。このことは、生成した介在物がＮｄ−Ｏ系からＮｄ−Ｐ系に変化していることを示すとともに、Ａ値が２０程度までは、溶鉄の清浄度の悪化が生じないことを示している。
【００３７】
一方、Ａ値が２０以上になると、ＮｄＰ存在率が低下し、同時に介在物個数指数も増加する。これは、Ｐ濃度に比較してＮｄ濃度が高くなり、Ｎｄ量が過剰となったために、高濃度となったＮｄが既に低濃度となっているＯおよびＳと反応することにより、再びＮｄ2Ｏ3介在物あるいはＮｄＳ介在物を生成し始め、溶鉄の清浄度が悪化したことによると考えられる。また、Ａ値が２０を超えた領域においてＮｄＰ存在率が低下するのは、ＮｄＰ介在物の個数が減少するためではなく、酸化物系介在物が増加することにより、相対的にＮｄＰの存在率が低下したことによる。
【００３８】
以上に述べた実験結果から、ＮｄＰ生成効率支配因子Ａの適正範囲は０．２を超え２０未満の範囲であることが確認されたので、本発明では、溶鉄中のＮｄ濃度を、溶鉄中のＰ濃度、Ｏ濃度およびＳ濃度に応じて、下記（１）式により表される関係を満足するように制御することとした。下記（１）式の関係を満足するように濃度を制御することにより、溶鉄中の清浄度を悪化させることなく、効率よくＮｄＰ介在物を生成させ、その結果、溶解Ｐ濃度を低減できる。
【００３９】
０．２＜｛［Ｎｄ］−０．８(［Ｓ］＋［Ｏ］)｝／(０．８［Ｐ］)＜２０・・・（１）
なお、本発明ではＮｄＰ介在物と同時にＮｄＳ介在物およびＮｄ2Ｏ3介在物も生成することから、脱硫および脱酸も同時に行うことができる。
【００４０】
（ｂ）介在物制御効果の確認
熱間工具鋼ＳＫＤ６１相当鋼を対象として、下記の試験を行い、介在物の制御効果を調査した。表１に示す化学成分組成を有する５種類の鋼を真空高周波誘導溶解炉を用いて２０ｋｇ溶製し、インゴットを作製した。
【００４１】
【表１】
0004609325.tif 000002
【００４２】
同表において、試験番号Ａ１に用いた供試鋼は、予めＰ濃度が低減されているが、前記（２）式および（３）式のいずれの関係をも満足せず、したがって、ＮｄＰ介在物が生成していない供試鋼であって、かつ、本発明で規定する前記（１）式により表される関係をも満足しない供試鋼である。試験番号Ａ３に用いた供試鋼は、通常の高Ｐ濃度鋼であり、（１）〜（３）式の関係のいずれをも満足しない供試鋼である。また、試験番号Ａ４−１およびＡ４−２に用いた供試鋼は、（２）式および（３）式の関係を満足するので、ＮｄＰ介在物が生成し、かつその粗粒化も抑止されているが、本発明で規定する（１）式の関係は満足しない供試鋼である。これに対して、試験番号Ａ２に用いた供試鋼は、Ｐ濃度は高いが、（２）式および（３）式の関係なもちろんのこと、本発明で規定する（１）式の関係も満足するようにＮｄ濃度を調整し、ＮｄＰ生成効率支配因子Ａの値を適正範囲に制御した供試鋼である。
【００４３】
得られたインゴットを１１５０℃にて２時間の均熱処理後、熱間プレスにより厚さ２０ｍｍ、幅８０ｍｍの板材に鍛伸し、試験用素材とした。その素材を１０５０℃にて１時間保持後、油冷した後、６００℃にて１時間保持し空冷する焼き戻し処理を行って、供試材とした。供試材から直径８ｍｍ、高さ１２ｍｍの円柱型ヒートチェック試験片を製作し、高周波加熱により１００℃から６５０℃までを５秒で加熱後、Ｈｅガスにより冷却する急速加熱冷却を１０００回繰り返し、円柱試験片の側面に形成されたクラック深さを縦切断面の光学顕微鏡観察により測定して、ヒートクラックの数およびその平均深さを比較した。なお、ヒートクラック数およびヒートクラック平均深さは、いずれもその値が小さいほど鋼品質が良好なことを意味する。
【００４４】
上記の試験により得られた結果を表２に示す。
【００４５】
【表２】
0004609325.tif 000003
【００４６】
同表の結果から、ヒートクラックの数およびクラック深さともに、通常の高Ｐ濃度鋼を用いた試験番号Ａ３の場合が最も高い値を示し、これに対して、予めＰ濃度を低減した供試鋼を使用した試験番号Ａ１では、クラック深さがかなり低減されていることがわかる。さらに、Ｐ濃度が高いにもかかわらず、Ｎｄ濃度を本発明で規定する（１）式を満足するように制御した供試鋼を使用した試験番号Ａ２においては、ヒートクラック数およびクラック深さの何れも大幅に改善されていることが明らかである。
【００４７】
また、Ｎｄを添加したにもかかわらず（１）式の関係を満たさない供試鋼を用いた試験番号Ａ４−１およびＡ４−２においても、ＮｄＰの生成により試験番号Ａ１およびＡ３よりは改善されたことが認められる。しかし、試験番号Ａ４−１においては、ＮｄＰの生成によりヒートクラック数は低減し、改善されたものの、Ａ値が本発明で規定する適正範囲を超えて高いことから、溶鉄の清浄度が悪化し、クラック深さは試験番号Ａ２の場合よりも大きくなっている。また、試験番号Ａ４−２においては、Ａ値が低いことから、ＮｄＰの存在率が低く、したがって、ＮｄＰ介在物の生成による溶解Ｐ濃度の低減効果が小さく、クラック深さが試験番号Ａ２に比較して大きくなっている。
【００４８】
上記の結果から、本発明の方法に基づいて（１）式の関係を満足するようにＮｄ濃度を適正に制御することにより、Ｎｄ添加による溶解Ｐ濃度の低減効果を最大限に発揮できることが確認された。本発明は、上記の（ａ）および（ｂ）に詳述した知見を裏付けとして完成されたものである。
【発明の効果】
【００４９】
本発明のＮｄ添加による溶鉄の処理方法によれば、ＮｄＰの生成による溶解Ｐ濃度の低減に及ぼす溶鉄中ＯおよびＳの阻害作用を排除し、少量のＮｄの添加により溶鉄中の溶解Ｐ濃度ひいては製品中の固溶Ｐ濃度を効率的に低減することができるので、鋼中のＰによる有害作用を従来にない極めて低い水準にまで低減することができる。また、本発明の方法は、酸化物および硫化物による溶鉄の清浄度悪化を抑制するとともに、脱硫および脱酸効果をも発揮する。
【発明を実施するための最良の形態】
【００５０】
本発明の方法は、前記のとおり、Ｐ：０．０００１％以上０．５％以下、Ｏ：０．００５％以下、Ｓ：０．００５％以下を含有する溶鉄にＮｄを添加して、溶鉄中のＮｄ濃度を０．００１％以上１％以下とするに際し、スラグ中の（ＣａＯ／Ａｌ2Ｏ3）の値を０．７以上９以下、および（ＣａＯ／ＳｉＯ2）の値を０．６５以上として、溶鉄中のＮｄ濃度を溶鉄中のＰ濃度、Ｏ濃度およびＳ濃度に応じて、前記（１）式により表される関係を満足するように制御する溶鉄の処理方法である。以下に本発明の方法についてさらに詳しく説明する。
【００５１】
１）Ｎｄの添加方法
本発明において、溶鉄中のＮｄ濃度を溶鉄中のＰ濃度、Ｏ（酸素）濃度およびＳ濃度に応じて、前記（１）式により表される関係を満足するように制御する具体的方法について下記に説明する。
【００５２】
一般に、溶鉄中のＰ濃度の制御には最も高いコストを要し、次いでＳ濃度の制御、すなわち脱硫処理に高いコストを要する。脱酸剤を添加する脱酸処理は比較的容易であり、Ｎｄを添加するだけで処理が可能なＮｄ添加処理が最も容易である。したがって、溶鉄へのＮｄの添加前もしくはＰ濃度が変化する溶銑予備処理、または転炉、ＡＯＤもしくはＶＯＤ処理後に、溶鉄中のＰ濃度を発光分光分析法などにより迅速分析し、その値を把握する。同様にして、Ｓ濃度についても測定する。溶鉄中の酸素濃度に規制がない場合には、Ａｌ、Ｓｉなどの脱酸剤を投入して溶鉄中の酸素濃度を調整する。
【００５３】
このようにして、Ｎｄの添加に先立って、溶鉄の処理中にＰ濃度およびＳ濃度を測定し、脱酸剤を添加することにより酸素濃度を調整した後に、前記（１）式により求められるＮｄ濃度範囲となるように、溶鉄中にＮｄを添加すればよい。溶鉄中における脱酸元素濃度と酸素濃度、あるいは添加したＮｄの歩留まりは、処理装置毎に過去の操業実績などから求めることができる。上記の方法により、溶鉄中のＳ濃度およびＰ濃度については、Ｎｄの添加前に把握できるが、溶鉄中の酸素濃度に規格がある鋼種の場合には、従来法により、その酸素濃度規格を満足するように酸素濃度の調整を行った後、調整後の酸素濃度を用いて、（１）式によりＮｄの添加量を求めればよい。
【００５４】
例えば、転炉を用いたプロセスでは、溶鉄は、溶銑予備処理、転炉吹錬、ＲＨなどの真空脱ガス処理、および連続鋳造の順に処理されるので、ＲＨ処理中に溶鉄中Ｐ濃度およびＳ濃度を測定する。さらに、脱酸条件から酸素濃度を求め、これらの各濃度に基づいて（１）式からＮｄの添加量を求め、ＲＨ処理末期にＮｄを添加すればよい。また、ＲＨ処理後にＰ濃度およびＳ濃度はほとんど変化しないので、ＲＨ処理後に取鍋精錬装置を用いた処理中にＮｄを添加してもよいし、さらに、連続鋳造機のタンディッシュ内の溶鋼にＮｄ添加を行ってもよい。
【００５５】
電気炉、ＡＯＤまたはＶＯＤを用いる場合においても同様である。すなわち、鋳造前の処理工程の末期に溶鉄中Ｐ濃度を測定してＮｄの添加量を決定し、その後、上記処理の終了期あるいは鋳造直前にＮｄを添加すればよい。
【００５６】
添加するＮｄの形態としては、総添加量を削減する目的から、金属Ｎｄを用いることが好ましいが、Ａｌ、Ｓｉ、ＦｅなどとＮｄとの合金や混合物を用いてもよい。また、Ｎｄの添加方法は、ホッパーなどの装入装置を用いた一括添加、インジェクションによる添加、ワイヤ供給方式よる添加など、一般に用いられている方法を用いればよい。
【００５７】
なお、本発明の方法においては、Ｎｄ添加後のスラグ除去および酸化精錬は不要である。特に、本発明は、ＮｄＰ介在物を生成させることにより、溶解Ｐ濃度を低減する方法であるため、Ｎｄ添加後の酸化精錬は行わない方が好ましい。Ｎｄ添加後に酸化精錬を行うと、溶鉄中のＮｄ濃度が低下し、その結果、既に生成したＮｄＰ介在物が分解することになるからである。さらに、Ｎｄの添加後に酸化精錬を行うと、溶鉄中の酸素濃度が変動し、前記（１）式の関係を満足することができなくなるおそれがある。ただし、Ｎｄの添加時には、生成したＮｄＰ介在物を浮上させるほどの強い攪拌は必要ないが、添加したＮｄが溶鉄中に混合する程度に、溶鉄を攪拌することが好ましい。
【００５８】
本発明の方法を実施するに当たり、Ｐ濃度を大幅に低減するほどの脱燐処理を行う必要はないが、Ｎｄ添加量を削減するために、溶銑予備処理などにおいて脱燐処理を行ってもよい。また、Ｎｄの歩留まりを向上させるために、Ｎｄの添加前にスラグの改質を行っておくことが好ましい。
【００５９】
２）溶鉄およびスラグの好ましい成分組成範囲
２）−１  溶鉄の好ましい成分組成範囲
本発明の方法は、前記のとおり、Ｓ濃度が０．００５％以下、およびＯ濃度が０．００５％以下の溶鉄を対象としているが、好ましくは、Ｎｄ添加前におけるＳ濃度を０．００２５％以下、およびＯ濃度を０．００３０％以下とすることにより、Ｎｄ添加量をさらに低減することができる。
【００６０】
また、Ｓ濃度についてはＮｄＰ介在物のより一層の分散を図るために、０．０００３％以上であることが、またＯ濃度についてはＮｄＰのより一層の分散を図るために、０．０００５％以上であることが、それぞれ好ましい。                          
Ｎｄ、Ｐ、ＳおよびＯ以外の溶鉄成分であってこれらの成分組成に影響を及ぼさない合金成分については、Ｎｄ添加後にそれらの成分調整を行ってもよい。
【００６１】
また、酸素濃度を効果的に低減することができるＡｌ、Ｓｉ、Ｍｇなどは、Ｎｄの添加前に添加することが好ましい。これらの元素をＮｄの添加前に添加することにより、溶鉄中の酸素濃度を低減できるため、酸素濃度の変動を小さくするとともに、Ｎｄの添加量を削減することができる。さらに、前記（１）式の関係を満足させやすい酸素濃度の範囲内であれば、ＮｄＰの生成を促進させることができる。
【００６２】
次に、Ｃ、Ｓｉ、Ｍｎ、Ｓｉ、Ａｌその他の成分組成の好ましい範囲について述べる。
【００６３】
Ｃ：３．５％以下およびＳｉ：２．５％以下
ＣおよびＳｉは、その濃度が高いと、鋼中におけるＰの活量を高める作用を有する元素である。Ｃ濃度が３．５％を超えて高いと、Ｐの活量に与える影響が顕著となり、Ｐ化合物の生成条件が変化するおそれがあることから、Ｃ濃度は３．５％以下であることが好ましい。同様の理由により、Ｓｉ濃度は２．５％以下であることが好ましい。
【００６４】
なお、Ｃ濃度は、鋼材特性の確保および安定した脱酸作用の確保の観点から、０．００１５％以上の範囲であることがさらに好ましく、また、Ｓｉ濃度は、予備脱酸を行う観点から、０．０１％以上の範囲であることがさらに好ましい。
【００６５】
Ｍｎ：３％以下
Ｍｎは、その濃度が高いと鋼中におけるＰの活量を低下させる作用を有する元素である。Ｍｎ濃度が３％を超えて高いと、Ｐの活量が著しく低下するため、Ｐ化合物の生成が困難となるおそれがある。したがって、Ｍｎ濃度は３％以下であることが好ましい。なお、Ｍｎ濃度は、鋼材強度を確保する観点から、０．２％以上の範囲であることがさらに好ましい。
【００６６】
Ａｌ：３％以下
Ａｌは、鋼中の溶解酸素との平衡関係から、溶解酸素濃度に極めて大きな影響を及ぼす。Ａｌ濃度が３％を超えて高くなると、平衡溶解酸素濃度が急激に高くなり、アルミナ系酸化物介在物が増加して鋼の清浄性が悪化するおそれがあることから、Ａｌ濃度は３％以下であることが好ましい。また、Ａｌ濃度は、Ｎｄの歩留まり向上およびその安定性確保の観点から、０．００３５％以上の範囲であることがさらに好ましい。
【００６７】
なお、本発明において、Ａｌ濃度とは、酸可溶Ａｌ（ｓｏｌ．Ａｌ）の濃度を意味する。
【００６８】
上記の溶鉄において、鉄の一部に替えて下記のＮｉ、Ｍｏ、Ｖ、Ｔｉ、Ｃｒなどの元素が含有されていてもよい。これらの元素は、溶鉄中におけるＮｄとＰとの反応にほとんど影響を及ぼさないからである。すなわち、０．０１〜３０％の濃度範囲のＮｉ、０．０１〜１％の濃度範囲のＭｏ、０．００１〜０．１％の濃度範囲のＶ、０．００５〜０．３％の濃度範囲のＴｉ、０．００１〜３５％の濃度範囲のＣｒなどである。
【００６９】
Ｎ：０．００７５％以下
溶鉄中のＮ濃度は０．００７５％以下とすることが好ましい。Ｎ濃度が上記の濃度を超えて高くなると、Ｎが、添加したＮｄと反応してＮｄが消費されることから、前記（１）式の関係が満足されるだけでは、溶解Ｐ濃度の十分な低減効果が得られなくなるおそれがある。なお、Ｎ濃度は、低ければ低いほど好ましいが、生産性の確保およびコスト低減の観点から、０．００１５％以上の範囲であることが好ましい。
【００７０】
２）−２  スラグの好ましい成分組成範囲
スラグの成分組成は、本発明で規定する条件を満足する必要があるが、（ＣａＯ／Ａｌ2Ｏ3）の値は１以上２以下であることが好ましい。その理由は、スラグの液相率（全スラグに占める液相スラグの存在分率）が高くなることにより反応性がさらに安定化するとともに、介在物の吸収能が増加するからである。また、（ＣａＯ／ＳｉＯ2）の値は、高くなりすぎるとスラグの液相率が低下しすぎるおそれがあるため、６以下とすることが好ましい。スラグ中のＴ．Ｆｅ濃度とＭｎＯ濃度との合計であるスラグ中の低級酸化物の濃度は１０％以下であることが好ましく、５％以下であることがさらに好ましい。スラグ中の低級酸化物の濃度が低いほど、Ｎｄの酸化ロス量が低減し、Ｎｄの歩留まりが向上するからである。
【実施例】
【００７１】
（試験方法）
Ｃ：０．０７〜０．５％、Ｓｉ：０．１〜０．７％、Ｍｎ：０．１〜０．３％、Ｃｒ：０．０５〜５％なる成分組成を有する鋼１８０ｋｇを真空高周波誘導溶解炉により溶解し、鋼中のＳ、Ｏ、ＰおよびＮｄ濃度を変化させたインゴットを作製した。溶解に際しては、ＣａＯ−Ａｌ2Ｏ3−ＳｉＯ2系スラグを３６０ｇ用い、スラグ中の（ＣａＯ／Ａｌ2Ｏ3）および（ＣａＯ／ＳｉＯ2）の値は、本発明で規定する範囲内の値に制御した。溶解温度は１６００℃とし、鋼中のＯ、ＳおよびＰの順に濃度調整を行った後に、金属Ｎｄを添加してＮｄ濃度を調整した。酸素濃度の調整は、酸素ガスの上吹きにより酸素濃度を上昇させた後、Ｃによる脱酸またはＡｌによる脱酸により酸素濃度を低減させる方法により、実施した。
【００７２】
得られたインゴットを１１５０℃にて２時間の均熱処理後、熱間プレスにより厚さ２０ｍｍ、幅８０ｍｍの板材に鍛伸し、試験用素材とした。その後、１０５０℃にて１時間保持した後、油冷および６００℃にて１時間の保持を行い、空冷による焼き戻し処理を行って、供試材とした。供試材から直径８ｍｍ、高さ１２ｍｍの円柱型ヒートチェック試験片を製作し、高周波加熱により１００℃から６５０℃までを５秒で加熱後、Ｈｅガスにより冷却する急速加熱冷却を１０００回繰り返し、円柱試験片の側面に形成されたクラック深さを縦切断面の光学顕微鏡観察により測定して、ヒートクラックの数およびその平均深さを比較した。なお、参考例として、極低Ｐ濃度までＰ濃度を低下させた鋼についても、併せて同様の測定を行った。
【００７３】
（試験結果）
試験条件および試験結果を表３に示した。
【００７４】
【表３】
0004609325.tif 000004
【００７５】
同表では、試験条件として、鋼中のＰ、Ｓ、ＯおよびＮｄの各濃度、本発明者らが特許文献２にて開示したＮｄＰ生成条件である（２）式または（３）式におけるＮｄ濃度の下限値４．８×１０-5／［Ｐ］（同表中ではＸ１値と表示）、（４）式により算出されるＡ値および（１）式の満足性を記載し、また、試験結果として、鋼の清浄度、ヒートクラック数およびヒートクラック深さを記載した。
【００７６】
なお、鋼の清浄度とは、試料の研磨面７〜１０ｃｍ2の範囲を光学顕微鏡により観察して、大きさが０．５μｍ以上のＮｄＰ介在物の個数を求め、参考例の試験番号２６における介在物個数により除して指数化した値であって、数値が低いほど清浄度が高いことを意味する。
【００７７】
試験番号１〜１４は、前記（１）式により表される関係を満たし本発明で規定する条件を満足する本発明例についての試験であり、特許文献２にて開示したＮｄＰ生成条件である前記（２）式の関係も満足している。
【００７８】
比較例１の試験番号１５〜１９は、ＮｄＰ生成条件である前記（２）式の関係は満足するものの、本発明で規定する（１）式の関係を満足しない試験であり、また、比較例２の試験番号２０〜２５は、ＮｄＰ生成条件である前記（２）式の関係も、本発明で規定する（１）式の関係をも満足しない試験である。そして、試験番号２６は、前述した参考例についての試験である。
【００７９】
鋼中のＮｄ濃度を本発明で規定する（１）式の関係を満足するように添加調整した本発明例である試験番号１〜１４では、鋼の清浄度は良好であり、Ｐ濃度を極低濃度レベルまで低下させた参考例である試験番号２６よりもヒートクラック数が少なく、またヒートクラック深さも小さい良質な鋼が得られている。これは、本発明例では、ＮｄＰ介在物の生成に及ぼす鋼中のＳおよびＯの阻害作用が排除されていることから、ＮｄＰが効率よく生成し、かつ、鋼の清浄度も悪化することなく、溶解Ｐ濃度の優れた低減効果が発揮されたことによる。
【００８０】
これに対して、ＮｄＰ生成条件である前記（２）式の関係も、本発明で規定する（１）式の関係も満足しない比較例２である試験番号２０〜２５では、参考例である試験番号２６に比較して、ヒートクラック数が極めて多く、かつヒートクラック深さも非常に深く、品質の劣った鋼となっている。
【００８１】
また、ＮｄＰ生成条件である前記（２）式の関係は満足するものの、本発明で規定する（１）式の関係を満足しない比較例１である試験番号１５〜１９では、ヒートクラック数およびヒートクラック深さともに、比較例２の場合に比較して改善はされているが、本発明例に比較すると、なおヒートクラック深さの低減効果は小さい。
【００８２】
以上の試験結果から、ＮｄＰ介在物の生成に及ぼす鋼中のＳおよびＯの阻害作用を排除してＮｄＰ介在物を効率よく生成させるとともに、良好な鋼の清浄度をも確保するためには、本発明の処理方法を使用することが極めて効果的であることが確認された。
【産業上の利用可能性】
【００８３】
本発明のＮｄ添加による溶鉄の処理方法によれば、ＮｄＰの生成による溶解Ｐ濃度の低減に及ぼす溶鉄中ＯおよびＳの阻害作用を排除し、少量のＮｄの添加により溶鉄中の溶解Ｐ濃度ひいては製品中の固溶Ｐ濃度を効率的に低減することができるので、鋼中のＰによる有害作用を従来にない極めて低い水準にまで低減することができる。また、本発明の方法は、酸化物および硫化物による溶鉄の清浄度悪化を抑制するとともに、脱硫および脱酸効果をも発揮する。したがって、本発明の方法は、高い生産性を確保しながら溶解Ｐ濃度を低減し、かつ脱硫および脱酸も実施できる溶鉄の精錬方法として製鋼技術分野において広範に適用できる。
【図面の簡単な説明】
【００８４】
【図１】ＮｄＰ存在比率および介在物個数指数とＡ値との関係を示す図である。
【図１】
0004609325.tif 000005